(57)【要約】【課題】限られたスペースに数多くの表示パターンを表示可能とし、利用者へのサービス性を向上することが可能な改札機を提供することを目的とする。【解決手段】  無線通信を行うための動作磁界を発生するアンテナ部１１１に近接して配置された表示枠３００内において異なる複数種類の表示パターンを表示可能な表示部７５と、表示枠３００内の表示パターンを切り換える切換部７６と、を備えたことを特徴とする。【選択図】      図５Ｂ
2005267460.tif 000002
【特許請求の範囲】
【請求項１】
無線通信を行うためのアンテナ部と、
前記アンテナ部を介して無線通信可能な券媒体との間で無線通信を行う通信手段と、
前記通信手段により券媒体から読み取った改札処理に必要な改札情報に基づいて改札処理を行う改札手段と、
前記アンテナ部に近接して配置された表示枠内において、異なる複数種類の表示パターンを表示可能な表示手段と、
前記表示枠内の表示パターンを切り換える切換手段と、
を備えたことを特徴とする改札機。
【請求項２】
無線通信を行うためのアンテナ部と、
前記アンテナ部を介して無線通信可能な券媒体との間で無線通信を行う通信手段と、
前記通信手段により券媒体から読み取った改札処理に必要な改札情報に基づいて改札処理を行う改札手段と、
所定方向に沿って異なる複数種類の表示パターンを有する帯状体と、
前記アンテナ部に近接して配置された表示枠内に配置する表示パターンを指定する指定手段と、
前記指定手段により指定された表示パターンを前記表示枠内に配置するように前記帯状体を前記所定方向に搬送する搬送手段と、
を備えたことを特徴とする改札機。
【請求項３】
無線通信を行うためのアンテナ部と、
前記アンテナ部を介して無線通信可能な券媒体との間で無線通信を行う通信手段と、
前記通信手段により券媒体から読み取った改札処理に必要な改札情報に基づいて改札処理を行う改札手段と、
所定方向に沿って異なる複数種類の表示パターンを有するとともに、各表示パターンに対応した識別マークを有する帯状体と、
前記識別マークを検知する検知手段と、
前記アンテナ部に近接して配置された表示枠内に配置する表示パターンを指定する指定手段と、
前記帯状体を前記所定方向に搬送する搬送手段と、
前記検知手段による検知結果に基づき、前記指定手段により指定された表示パターンを前記表示枠内に配置するように前記搬送手段による前記帯状体の搬送を停止する搬送制御手段と、
を備えたことを特徴とする改札機。
【請求項４】
さらに、前記表示枠に配置された光透過性を有する板状部材と、
前記帯状体を前記板状部材に押し付けつつ回転可能なローラと、を備えたことを特徴とする請求項２または３に記載の改札機。
【請求項５】
さらに、前記指定手段により指定された表示パターンと現時点で前記表示枠内に配置された表示パターンとの位置関係に基づいて前記搬送手段による前記帯状体の搬送条件を決定する制御手段を備えたことを特徴とする請求項２または３に記載の改札機。
【請求項６】
無線通信を行うためのアンテナ部と、
前記アンテナ部を介して無線通信可能な券媒体との間で無線通信を行う通信手段と、
前記通信手段により券媒体から読み取った改札処理に必要な改札情報に基づいて改札処理を行う改札手段と、
前記アンテナ部に囲まれた内側の表示枠内において、異なる複数種類の表示パターンを表示可能な表示手段と、
前記表示手段に表示する表示パターンに対応した映像信号を供給する駆動手段と、
を備えたことを特徴とする改札機。
【請求項７】
無線通信を行うためのアンテナ部と、
前記アンテナ部を介して無線通信可能な券媒体との間で無線通信を行う通信手段と、
前記通信手段により券媒体から読み取った改札処理に必要な改札情報に基づいて改札処理を行う改札手段と、
前記アンテナ部に囲まれた内側の表示枠内において、異なる複数種類の表示パターンを表示可能な表示手段と、
前記表示手段に表示する表示パターンを指定する指定手段と、
前記指定手段により指定された表示パターンに対応した映像信号を前記表示手段に供給する駆動手段と、
を備えたことを特徴とする改札機。
【請求項８】
無線通信を行うためのアンテナ部と、
前記アンテナ部を介して無線通信可能な券媒体との間で無線通信を行う通信手段と、
前記通信手段により券媒体から読み取った改札処理に必要な改札情報に基づいて改札処理を行う改札手段と、
前記アンテナ部に囲まれた内側の表示枠内において、異なる複数種類の表示パターンを表示可能な表示手段と、
前記通信手段による通信状態及び前記改札手段による改札処理結果に基づいた表示パターンに対応した映像信号を前記表示手段に供給する駆動手段と、
を備えたことを特徴とする改札機。
【発明の詳細な説明】
【技術分野】
【０００１】
この発明は、改札機に係り、特に、無線式の券媒体との間で無線通信を行う無線通信装置を搭載した改札機に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券、プリペイドカード、定期券、乗車券などの磁気式の券媒体を取り込み、券媒体に磁気記録された改札情報に基づいて利用者の通行を許可するか否かの改札処理を行う。取り込んだ券媒体は、必要に応じて返却または回収される。
【０００３】
また、近年では、磁気式の券媒体のほかに無線式の券媒体を取り扱う改札機が導入されている。このような無線式対応の改札機は、券媒体との間で無線通信を行い、券媒体から読み取った改札情報に基づいて利用者の通行を許可するか否かの改札処理を行う。このような無線式対応の改札機は、券媒体との間で通信可能な通信エリアすなわちターゲット部を備えている。このターゲット部は、利用者が券媒体をかざす部分を明確にするために、例えば通信可能な場合に点灯し、通信不能な場合に消灯している。
【０００４】
また、ターゲット部のほかに、改札処理結果（通行の可／否）を表示する表示部を備えた改札機も提案されている（例えば、特許文献１参照。）。
【特許文献１】特開平７−２７２０３２号公報
【発明の開示】
【発明が解決しようとする課題】
【０００５】
従来の改札機においては、ターゲット部は、点灯または消灯するのみであって、使用可能（通信可能）または使用不能（通信不能）であることを利用者に報知することしかできない。また、無線通信を行うための動作磁界を発生するアンテナ部と、ターゲット部との間には、無線通信機能を低下させるような材料（例えば金属材料）を配置することはできない。このため、ターゲット部は、透明なアクリル板にあらかじめ印刷された固定式のパターンのみしか表示できず、表示色も固定されている。
【０００６】
また、ターゲット部のほかに表示部を備えた構成であったとしても、限られたスペースに固定式のパターンを数多く配置することは困難であり、また、利用者にとっても表示パターンを確認しにくい。
【０００７】
このように、従来の改札機では、ターゲット部及びその周辺において、限られた数少ない表示パターンしか表示できず、利用者に対して案内できる情報が限られてしまう。また、限られたスペースに多くの表示パターンを配置しようとした場合には、利用者にとって表示パターンが確認しにくく、利用者に対するサービス性が損なわれるおそれがある。
【０００８】
この発明は、上述した問題点に鑑みなされたものであって、その目的は、限られたスペースに数多くの表示パターンを表示可能とし、利用者へのサービス性を向上することが可能な改札機を提供することにある。
【課題を解決するための手段】
【０００９】
この発明の第１の様態による改札機は、
無線通信を行うためのアンテナ部と、
前記アンテナ部を介して無線通信可能な券媒体との間で無線通信を行う通信手段と、
前記通信手段により券媒体から読み取った改札処理に必要な改札情報に基づいて改札処理を行う改札手段と、
前記アンテナ部に近接して配置された表示枠内において、異なる複数種類の表示パターンを表示可能な表示手段と、
前記表示枠内の表示パターンを切り換える切換手段と、
を備えたことを特徴とする。
【００１０】
この発明の第２の様態による改札機は、
無線通信を行うためのアンテナ部と、
前記アンテナ部を介して無線通信可能な券媒体との間で無線通信を行う通信手段と、
前記通信手段により券媒体から読み取った改札処理に必要な改札情報に基づいて改札処理を行う改札手段と、
所定方向に沿って異なる複数種類の表示パターンを有する帯状体と、
前記アンテナ部に近接して配置された表示枠内に配置する表示パターンを指定する指定手段と、
前記指定手段により指定された表示パターンを前記表示枠内に配置するように前記帯状体を前記所定方向に搬送する搬送手段と、
を備えたことを特徴とする。
【００１１】
この発明の第３の様態による改札機は、
無線通信を行うためのアンテナ部と、
前記アンテナ部を介して無線通信可能な券媒体との間で無線通信を行う通信手段と、
前記通信手段により券媒体から読み取った改札処理に必要な改札情報に基づいて改札処理を行う改札手段と、
前記アンテナ部に囲まれた内側の表示枠内において、異なる複数種類の表示パターンを表示可能な表示手段と、
前記表示手段に表示する表示パターンに対応した映像信号を供給する駆動手段と、
を備えたことを特徴とする。
【発明の効果】
【００１２】
この発明によれば、限られたスペースに数多くの表示パターンを表示可能とし、利用者へのサービス性を向上することが可能な改札機を提供することができる。
【発明を実施するための最良の形態】
【００１３】
以下、この発明の一実施の形態に係る改札機について図面を参照して説明する。  
図１に示すような改札機は、通常、２台１組として設置され、両者の間に利用者が通行可能な改札通路が形成される。入場業務や出場業務などの改札処理を行う改札機で利用可能な券媒体としては、普通乗車券、定期券、特急券、回数券、入場券、プリペイドカードなどの磁気式券媒体及び無線式券媒体を対象としている。
【００１４】
これら券媒体は、改札処理に必要な改札情報、例えば、利用可能な区間情報、有効期限情報、入場記録情報、出場記録情報、利用者情報などを有している。このような改札情報は、磁気式券媒体では、その券面の磁気記録層に所定形式で磁気記録されており、また、無線式券媒体では、そのメモリ部に所定形式で記憶されている。
【００１５】
改札機の本体１には、施設内への入場時あるいは施設内からの出場時に、磁気式の券媒体（施設内への入場券、乗車券、定期券、回数券、プリペイドカードなど）が投入される投入口２、この投入口２で受け取った券媒体を必要に応じて排出する排出口３がそれぞれ設けられている。投入口２の近傍には、必要に応じて券媒体の投入を阻止するためのシャッタ（図示しない）が設けられている。
【００１６】
本体１における排出口３の前方には、利用者や係員などに対して案内などの各種情報を表示する案内表示部４が設けられている。本体１の改札通路側に面した側面の両端部には、それぞれ利用者の通行を制御する（通行阻止するまたは通行許可する）開閉動作可能なドア機構５が設けられている。このドア機構５は、通行可否の判定結果に基づいて開閉制御される。
【００１７】
本体１の上部には、利用者の改札通路を規定するための枠体６が立設されている。枠体６及び本体１の各改札通路側の側面には、利用者の通過を検知する複数の人間検知器７がそれぞれ設けられている。また、枠体６上には、小児券の投入、無効券の投入や機器の異常など装置の動作状態を表示する表示灯８が設けられている。
【００１８】
本体１における一端側上面部には、無線式券媒体との間で無線通信を行うための動作磁界を発生するアンテナ部１１１を備えた無線通信装置１１２が設けられている。アンテナ部１１１は、例えば、ループ状アンテナなどで構成されている。無線通信装置１１２は、アンテナ部１１１を介して利用者によりかざされた無線式券媒体との間で無線通信を行う通信手段として機能する。つまり、無線通信装置１１２は、アンテナ部１１１を介して無線式券媒体から送信されたデータを受信したり、無線式券媒体に対してデータを送信したりする。
【００１９】
図２に示すように、改札機は、装置全体の制御を司るＣＰＵ６０を備えている。このＣＰＵ６０は、券媒体に記録された改札情報に基づいて改札処理を行う改札手段として機能する。  
このＣＰＵ６０には、ＲＯＭ６１、ＲＡＭ６２、運賃メモリ６３、検知回路６４、搬送制御回路６５、読取回路６６、書込回路６７、印刷駆動回路６８、入鋏制御回路６９などが接続されている。
【００２０】
ＲＯＭ６１は、ＣＰＵ６０の制御プログラムなどを記憶している。ＲＡＭ６２は、制御プログラムのバッファとして情報を記憶するとともに、券媒体から読み取った情報などの各種エラー情報などを記憶する。運賃メモリ６３は、入場駅（から設置駅まで）に対応した運賃情報を記憶している。
【００２１】
検知回路６４は、投入口２から排出口３までの間に規定される搬送経路上に設けられた検知器１１からの出力信号に基づいて、投入口２での磁気式券媒体の投入状態や、排出口３での磁気式券媒体の抜き取り、搬送経路上での磁気式券媒体の搬送状態などを検知する。検知器１１は、光学センサによって構成され、例えば搬送路を介して互いに対向配置された一対の発光素子と受光素子とによって構成されている。
【００２２】
搬送制御回路６５は、磁気式券媒体を搬送経路に沿って搬送するための搬送ローラや搬送ベルトを駆動する搬送用モータなど各種搬送機構１２の駆動を制御する。読取回路６６は、磁気式券媒体の裏面の磁気記録層に記録されているエンコード磁気情報を読み取る読取ヘッド１４の駆動を制御する。書込回路６７は、券媒体の磁気記録層に対してエンコード磁気情報を記録する書込ヘッド１５の駆動を制御する。
【００２３】
印刷駆動回路６８は、磁気式券媒体に対して必要に応じて日付や改札場所名等の所定の情報を印刷する印刷部１６の駆動を制御する。印刷部１６は、例えばサーマルヘッド及びインクリボンを用いた熱転写方式のプリンタにより構成されている。入鋏制御回路６９は、磁気式券媒体に対して必要に応じて穿孔を形成する入鋏部１７の駆動を制御する。
【００２４】
また、ＣＰＵ６０には、通過検知回路７０、ドア制御回路７１、表示制御回路７２、音声出力回路７３、無線通信制御回路７４、切換部７６、通信制御部７７、係員操作パネル７８などが接続されている。  
通過検知回路７０は、人間検知器７からの出力信号に基づいて利用者の通過（移動位置）を検知する。ドア制御回路７１は、ドア機構５を駆動するドア開閉機構７９を制御する。表示制御回路７２は、案内表示部４や表示灯８などの各種表示部の駆動を制御する。音声出力回路７３は、音声にて操作案内を行うスピーカ８０を駆動する。
【００２５】
無線通信制御回路７４は、無線通信装置１１２を制御して、アンテナ部１１１を介して無線式券媒体と交信し、無線式券媒体に記憶された改札情報に対応したデータを読み取ったり（無線式券媒体から送信されたデータを受信したり）、無線式券媒体に対して所定情報に対応したデータを書き込んだり（無線式券媒体に対してデータを送信したり）する。
【００２６】
表示部７５は、表示手段として機能するものであり、無線通信装置１１２のアンテナ部１１１に近接して配置された表示枠３００内において異なる複数種類の表示パターンを表示可能である。この表示枠３００は、例えば無線式券媒体との間で通信可能な通信エリアに設けられ、ターゲット部と称する場合がある。切換部７６は、切換手段として機能するものであり、ＣＰＵ６０による制御に基づき表示枠３００内の表示パターンを切り換える。
【００２７】
通信制御部７７は、遠隔操作部９０との間で情報通信を行う。この遠隔操作部９０は、改札機を監視する監視装置あるいは改札機を制御するホストコンピュータなどであり、改札機における各種設定を受け付ける入力部、入力された情報や改札機本体の動作状態などを表示する表示部などで構成されている。係員操作パネル７８は、改札機における各種設定を受け付ける入力部、入力された情報や改札機本体の動作状態などを表示する表示部などで構成されている。これら遠隔操作部９０及び係員操作パネル７８は、表示枠３００内に配置する表示パターンを指定する指定手段として機能する。
【００２８】
図３に示すように、無線式券媒体Ｃは、無線通信装置１１２との間での無線通信を制御するＣＰＵ２０１、ＣＰＵ２０１に対して駆動電源を供給する電源２０２などを備えている。このＣＰＵ２０１には、ＲＯＭやＲＡＭなどで構成されたメモリ部２０３、アンテナ２０４を介して無線通信装置１１２から送信されたデータを受信したり、無線通信装置１１２に対してデータを送信したりする通信制御部２０５などが接続されている。
【００２９】
図４に示すように、無線通信装置１１２は、アンテナ部１１１を介して、無線式券媒体Ｃに対して一定時間の間隔でポーリングコマンド信号を発信している。利用者が無線式券媒体Ｃをアンテナ部１１１にかざすと、無線通信によるデータのやり取りが行われる。つまり、このポーリングコマンド信号に対して、無線式券媒体Ｃから返信信号が無線通信装置１１２に向けて送信される（ポーリングレスポンス）。
【００３０】
まず、無線通信装置１１２からアンテナ部１１１を介して無線式券媒体Ｃに対して改札情報に対応したデータの送信を要求する（リードコマンド）。無線式券媒体Ｃの通信制御部２０５は、アンテナ２０４を介して無線通信装置１１２からのデータ送信要求を受信したのに基づいて、ＣＰＵ２０１の制御に基づきメモリ部２０３に記憶していた改札情報に対応したデータをアンテナ２０４を介して無線通信装置１１２に向けて送信する（リードレスポンス）。
【００３１】
無線通信装置１１２がアンテナ部１１１を介して無線式券媒体Ｃからデータを受信したのに基づき、改札機におけるＣＰＵ６０は、受信したデータをもとに改札処理を行う（判定）。そして、無線通信装置１１２は、アンテナ部１１１を介してＣＰＵ６０における改札処理の結果を無線式券媒体Ｃに送信する（判定結果送信、ライトコマンド）。
【００３２】
その後、無線式券媒体Ｃの通信制御部２０５は、アンテナ２０４を介して無線通信装置１１２から送信された改札処理結果に対応するデータを受信したのに基づいて、ＣＰＵ２０１の制御に基づきメモリ部２０３に受信したデータを記憶する。そして、通信制御部２０５は、アンテナ２０４を介して無線通信装置１１２に向けてデータが正常に書き込まれ一連の改札処理が完了したことを通知する（ライトレスポンス）。  
このようなデータのやり取りにより、無線式券媒体Ｃと改札機における無線通信装置１１２との間で改札処理に必要な改札情報の無線通信が行われる。
【００３３】
次に、第１実施形態に係る改札機について説明する。  
図５Ａ及び図５Ｂに示すように、アンテナ部１１１は、アンテナ本体１１１ａと、表示を点灯させる表示器１１１ｂとから構成されている。このようなアンテナ部１１１に近接して配置された表示枠３００内において、異なる複数種類の表示パターンを表示可能な表示部７５が設けられている。
【００３４】
表示部７５は、所定方向に沿って異なる複数種類の表示パターンを有するリボン４００を備えている。このリボン４００は、例えば図６に示すように、所定方向Ｘ（すなわちリボン４００の長手方向）に沿って配置された表示内容及び表示色の異なる７種類の表示パターンＰ１、Ｐ２、Ｐ３…を有している。これらの表示パターンＰ１、Ｐ２、Ｐ３…は、予めフィルム状の基材（帯状体）上に印刷されたものである。
【００３５】
このリボン４００に印刷された表示パターンとしては、例えば、無線通信装置１１２による通信状態に対応した表示パターンすなわち通信可能である旨の表示パターン及び通信不能である旨の表示パターン、さらには、使用可能な無線式券媒体のデザインに対応した表示パターン、無線式券媒体との間での通信異常が発生した旨の表示パターン、改札処理の結果に対応した表示パターンすなわち利用者の通行を許可する旨の表示パターン及び通行を許可しない旨の表示パターンなどである。リボン４００に印刷される表示パターンは、利用者に対するサービス性を向上可能なものであれば如何なるものであっても良く、表示パターンの数も７種類に限られるものではない。
【００３６】
また、このリボン４００は、各表示パターンに対応した識別マークＭ１、Ｍ２、Ｍ３…を有している。これらの識別マークＭ１、Ｍ２、Ｍ３…は、各表示パターンの周辺（例えば所定方向Ｘに交差（直交）するリボン４００の幅方向Ｗに沿った両端部）に配置されている。これらの識別マークＭ１、Ｍ２、Ｍ３…は、照明光を遮光するパターン（例えば黒色パターン）や、照明光を透光するパターン（例えば穿孔もしくは透明パターン）などによって形成されている。
【００３７】
表示枠３００には、光透過性を有する板状部材として、透明のアクリル板４２０が配置されている。リボン４００は、表示枠３００を経由する経路に沿って配置されている。表示枠３００内の表示パターンを切り換える切換部７６は、所定の表示パターンを表示枠３００内に配置するようにリボン４００を所定方向に搬送する搬送手段として機能する搬送機構を備えている。
【００３８】
すなわち、この切換部７６は、リボン４００の長手方向の両端にそれぞれ固定されたシャフト４０１及び４０２と、これら各シャフト４０１及び４０２に固定されたギア４０３及び４０４と、リボン４００を巻き取るためのモータ４０５及び４０６と、これら各モータ４０５及び４０６に固定されそれぞれギア４０３及び４０４と噛合するギア４０７及び４０８と、リボン４００の弛みを防止するためのリボン押さえローラ４０９及び４１０と、これら各ローラ４０９及び４１０を支持するシャフト４１１及び４１２と、各ローラ４０９及び４１０に荷重を与えるスプリング４１６及び４１７と、を備えて構成されている。
【００３９】
リボン４００の搬送は、モータ４０５及び４０６によりどちらの方向にも可能である。すなわち、モータ４０５は、Ａ方向に回転し、ギア４０７及び４０３を介してシャフト４０１にリボン４００を巻き取る。また、モータ４０６は、Ｂ方向に回転し、ギア４０８及び４０４を介してシャフト４０２にリボン４００を巻き取る。
【００４０】
モータ４０５を駆動した際にリボン４００に対してかかる荷重をＦ１、モータ４０６を駆動した際にリボン４００に対してかかる荷重をＦ２としたとき、リボン４００をシャフト４０１に巻き取るときの条件としては、Ｆ１＞Ｆ２となる条件でモータ４０５及び４０６を駆動させる。つまり、モータ４０５はＡ方向に回転しながらリボン４００に対して荷重Ｆ１を加えるが、モータ４０６はＢ方向へ回転しながらリボン４００に対して荷重Ｆ２を加える。しかしながら、荷重条件がＦ１＞Ｆ２であるため、リボン４００はＡ方向に巻き取られる。
【００４１】
また、リボン４００をシャフト４０２に巻き取るときの条件としては、Ｆ２＞Ｆ１となる条件でモータ４０５及び４０６を駆動させる。つまり、モータ４０５はＡ方向に回転し、モータ４０６はＢ方向へ回転するが、荷重条件がＦ２＞Ｆ１であるため、リボン４００はＢ方向に巻き取られる。このように、リボン４００を巻き取る際に常に逆向きの荷重を加えることにより、リボン４００の巻き取り時の弛みを防止することができる。
【００４２】
一方で、リボン４００が配置された経路上には、リボン４００の識別マークを検知する検知手段として機能する検知器４１３、４１４、４１５が配置されている。ここでは、各表示パターンに対応した識別マークがリボン４００の幅方向Ｗに沿って３種類設けられていることから、各種類の識別マークを検知するために、リボン４００の幅方向Ｗに沿って３つの検知器４１３、４１４、４１５が配置されている。
【００４３】
各検知器は、例えば光学センサによって構成され、リボン４００を挟んで互いに対向するように配置された一対の発光素子と受光素子とによって構成されている。各検知器は、識別マークの遮光パターンを検知した場合には、「暗」に対応した出力信号を出力し、また、識別マークの透光パターンを検知した場合には、「明」に対応した出力信号を出力する。
【００４４】
これを利用して、検知器４１３、４１４、及び、４１５からの出力信号に基づき、表示パターンを判定する。つまり、例として検知器４１３のみ「明」のときは表示パターン１、検知器４１４のみ「明」のときは表示パターン２、検知器４１５のみ「明」のときは表示パターン３、検知器４１３及び４１４が「明」のときは表示パターン４、検知器４１３及び４１５が「明」のときは表示パターン５、検知器４１４及び４１５が「明」のときは表示パターン６、検知器４１３、４１４、及び、４１５が「明」のときは表示パターン７と判定する。
【００４５】
このように、各検知器からの出力信号に基づいて、リボン４００上の表示パターンを認識することが可能である。したがって、各検知器による検知結果に基づき、モータ４０５及び４０６の駆動を制御することにより指定された表示パターンを表示枠３００内に配置することが可能である。つまり、切換部７６は、ＣＰＵ６０による制御のもとで、指定された表示パターンを表示枠３００内に配置するようにリボン４００の搬送を制御する搬送制御手段としての機能を兼ね備えている。
【００４６】
また、モータ４０５及び４０６の駆動を停止させたとき、リボン４００が弛んでしまうことに起因した表示のゆがみを防止するために、リボン４００は、ローラ４０９及び４１０によってアクリル板４２０に押し付けられている。なおかつ、これらのローラ４０９及び４１０は、リボン４００の巻き取り時の抵抗を抑えるために回転可能であり、シャフト４１１及び４１２に挿入された状態となっている。
【００４７】
次に、第１実施形態に係る改札機において、リボン４００における表示パターンの指定方法について説明する。  
図７に示すように、ＣＰＵ６０は、表示パターンの指定を受け付けたか否かを判断する（ＳＴ１１）。すなわち、ＣＰＵ６０は、改札機内に装備されている係員操作パネル７８または遠隔操作部９０からの表示パターンの指定を受け付け可能とする。
【００４８】
ＣＰＵ６０は、表示パターンの指定を受け付けたと判断したのに基づいて（ＳＴ１１、Ｙ）、指定された表示パターンと現時点で表示枠３００内に配置された表示パターンとの位置関係に基づいて切換部７６によるリボン４００の搬送条件を決定する（ＳＴ１２）。すなわち、ＣＰＵ６０は、制御手段として機能する。このときの搬送条件とは、リボン４００の搬送方向、各モータ４０５及び４０６によるリボン４００への荷重条件などである。
【００４９】
続いて、ＣＰＵ６０は、切換部７６を制御してリボン４００を搬送する（ＳＴ１３）。すなわち、切換部７６は、ＣＰＵ６０からの制御に基づき、決定された搬送条件にしたがって各モータ４０５及び４０６を駆動する。そして、ＣＰＵ６０は、切換部７６を介して各検知器４１３、４１４、４１５からの出力信号に基づき、指定された表示パターンに対応する識別マークを検知したか否かを判断する（ＳＴ１４）。
【００５０】
続いて、ＣＰＵ６０は、対応する識別マークを検知したと判断したのに基づき（ＳＴ１４、Ｙ）、切換部７６を制御して指定された表示パターンが表示枠３００内に位置するようにリボン４００の搬送を停止する（ＳＴ１５）。そして、指定された表示パターンに関する情報、つまり、表示パターンの現時点での指定内容は、ＲＡＭ６２に保存され、指定が変更された場合にはその都度指定内容が書き換えられる。  
このように、係員操作パネル７８または遠隔操作部９０で表示パターンを設定することにより、改札機本体において、表示枠３００内に配置された表示パターンを自動的に変更することが可能となる。
【００５１】
次に、第２実施形態に係る改札機について説明する。  
図８に示すように、第２実施形態に係る改札機の表示部７５は、第１実施形態と同様に、表示枠３００内において、異なる複数種類の表示パターンを表示可能とする。この表示部７５が配置される表示枠３００は、アンテナ部１１１に囲まれた内側に規定されている。つまり、アンテナ部１１１は、表示部７５の周辺に配置されている。このような構成においては、例えば、アンテナ本体１１１ａを表示部７５の周辺に複数個配置したり、各アンテナ本体１１１ａの通信可能範囲を現状より拡大したりすることにより、表示部７５の周辺及び上面でも無線式券媒体との無線通信が可能となる。
【００５２】
また、ここでは、表示部７５は、プラズマディスプレイ、液晶表示装置、有機エレクトロルミネッセンス表示装置などの平面表示装置によって構成され、カラー表示を可能とする。
【００５３】
表示枠３００内の表示パターンを切り換える切換部７６は、表示部７５に表示する表示パターンに対応した映像信号を供給する駆動手段として機能するドライバを備えている。すなわち、切換部７６は、例えば、無線通信装置１１２による通信状態に対応した表示パターンすなわち通信可能である旨の表示パターン及び通信不能である旨の表示パターン、さらには、使用可能な無線式券媒体のデザインに対応した表示パターン、無線式券媒体との間での通信異常が発生した旨の表示パターン、改札処理の結果に対応した表示パターンすなわち利用者の通行を許可する旨の表示パターン及び通行を許可しない旨の表示パターンなどにそれぞれ対応した映像信号を保持しており、それぞれの映像信号を表示部７５に供給可能である。なお、表示部７５に表示可能な表示パターンは、利用者に対するサービス性を向上可能なものであれば如何なるものであっても良く、表示パターンの数に限りはない。これにより、表示部７５は、表示内容及び表示色を自動的に変更可能とする。
【００５４】
次に、第２実施形態に係る改札機において、表示パターンの指定方法について説明する。  
図９に示すように、ＣＰＵ６０は、表示パターンの指定を受け付けたか否かを判断する（ＳＴ２１）。すなわち、ＣＰＵ６０は、改札機内に装備されている係員操作パネル７８または遠隔操作部９０からの表示パターンの指定を受け付け可能とする。
【００５５】
ＣＰＵ６０は、表示パターンの指定を受け付けたと判断したのに基づいて（ＳＴ２１、Ｙ）、切換部７６を制御して指定された表示パターンに対応する映像信号を表示部７５に供給する。これにより、表示部７５は、指定された表示パターンを表示する（ＳＴ２２）。なお、通常、表示部７５には、初期表示パターンとして無線式券媒体をターゲット部にかざす旨のメッセージを含むような表示パターンが表示されている。
【００５６】
ＣＰＵ６０は、表示パターンの指定を受け付けていないと判断したのに基づいて（ＳＴ２１、Ｎ）、改札機本体で異常が発生したか否かを判断する（ＳＴ２３）。そして、ＣＰＵ６０は、異常が発生したと判断したのに基づいて（ＳＴ２３、Ｙ）、切換部７６を制御して所定の表示パターンに対応する映像信号を表示部７５に供給する。これにより、表示部７５は、所定の表示パターンを表示する（ＳＴ２４）。このとき、表示部７５には、異常が発生した旨（例えば改札機本体が利用中止である旨、無線通信装置１１２が通信不能である旨など）のメッセージを含むような表示パターンが表示される。そして、ＣＰＵ６０は、必要に応じて改札機本体あるいは無線通信装置１１２の利用を停止する。
【００５７】
一方、ＣＰＵ６０は、改札機本体で異常が発生していないと判断したのに基づいて（ＳＴ２３、Ｎ）、アンテナ部１１１を介して無線式券媒体との間で無線通信を行ったか否かを判断する（ＳＴ２５）。ＣＰＵ６０は、無線式券媒体との間での無線通信が開始される以前は（ＳＴ２５、Ｎ）、表示部７５には無線式券媒体をターゲット部にかざす旨の表示パターンを表示させている。
【００５８】
そして、ＣＰＵ６０は、無線式券媒体との間で無線通信を行ったと判断したのに基づいて（ＳＴ２５、Ｙ）、無線式券媒体から読み取った改札情報に基づき改札処理を行う（ＳＴ２６）。
【００５９】
ＣＰＵ６０は、改札処理の結果、利用者の通行を許可すると判定したのに基づいて（ＳＴ２６、Ｙ）、切換部７６を制御して所定の表示パターンに対応する映像信号を表示部７５に供給する。これにより、表示部７５は、所定の表示パターンを表示する（ＳＴ２７）。このとき、表示部７５には、判定ＯＫである旨のメッセージ（「ありがとうございました」など）や、引き去った金額及び引き去った後の残額を含むような表示パターンが表示される。
【００６０】
そして、ＣＰＵ６０は、通過検知回路７０を介して人間検知器７からの出力信号に基づき、利用者が改札通路を通過したか否かを判断する（ＳＴ２８）。ＣＰＵ６０は、利用者の通過を検知したのに基づいて（ＳＴ２８、Ｙ）、切換部７６を制御して初期表示パターンに対応する映像信号を表示部７５に供給し、表示部７５に初期表示パターンを表示させる（ＳＴ２２）。
【００６１】
また、ＣＰＵ６０は、改札処理の結果、利用者の通行を許可しないと判定したのに基づいて（ＳＴ２６、Ｎ）、切換部７６を制御して所定の表示パターンに対応する映像信号を表示部７５に供給する。これにより、表示部７５は、所定の表示パターンを表示する（ＳＴ２９）。このとき、表示部７５には、判定ＮＧである旨（例えばエラー内容）のメッセージを含むような表示パターンが表示される。このとき、ＣＰＵ６０は、ドア制御回路７１を制御してドア開閉機構７９を駆動し、改札通路を閉鎖する。また、ＣＰＵ６０は、表示制御回路７２を制御して表示灯８を点灯する。
【００６２】
続いて、ＣＰＵ６０は、通過検知回路７０を介して人間検知器７からの出力信号に基づき、利用者が改札通路から退出したか否かを判断する（ＳＴ３０）。ＣＰＵ６０は、利用者の退出を検知したのに基づいて（ＳＴ３０、Ｙ）、切換部７６を制御して初期表示パターンに対応する映像信号を表示部７５に供給し、表示部７５に初期表示パターンを表示させる（ＳＴ２２）。このとき、ＣＰＵ６０は、ドア制御回路７１を制御してドア開閉機構７９を駆動し、改札通路を開放する。また、ＣＰＵ６０は、表示制御回路７２を制御して表示灯８を消灯する。
【００６３】
このように、係員操作パネル７８または遠隔操作部９０で表示パターンを設定することにより、改札機本体において、表示枠３００内に配置された表示パターンを自動的に変更することが可能となる。また、係員操作パネル７８や遠隔操作部９０を介して表示パターンを設定されなくても、無線通信装置１１２による通信状態や改札処理結果に基づいて対応する表示パターンを表示することが可能となる。
【００６４】
以上説明したように、この実施の形態による改札機によれば、無線式券媒体との間で通信可能な通信エリアすなわちターゲット部の表示内容及び表示色を自動的に変更可能であり、改札機を管理する側の意向が容易に反映できる。つまり、同一改札機であっても、ユーザごと、改札機・集札機別、各駅別に表示内容や表示色を変更することが可能であるため、利用者に提供できる案内性が向上する。また、無線通信装置に障害等が発生した際に無線式券媒体の使用が不可能となった時には利用中止などの表示が可能となる。
【００６５】
したがって、改札機本体における限られたスペースにおいて、利用者に対して数多くの表示パターンを表示可能とすることができ、しかも、いずれの表示パターンも利用者に対してわかりやすく表示することができ、利用者へのサービス性を向上することが可能となる。
【００６６】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６７】
【図１】図１は、この発明の一実施の形態に係る改札機の外観を概略的に示す斜視図である。
【図２】図２は、図１に示した改札機の制御系の構成を概略的に示すブロック図である。
【図３】図３は、図１に示した改札機による改札処理対象としての無線式券媒体の構成を概略的に示す図である。
【図４】図４は、無線式券媒体と改札機との無線通信による信号のやりとりを説明するための図である。
【図５Ａ】図５Ａは、第１実施形態に係る改札機の表示部及び切換部の構造を概略的に示す斜視図である。
【図５Ｂ】図５Ｂは、第１実施形態に係る改札機の表示部及び切換部の構造を概略的に示す側面図である。
【図６】図６は、図５Ａに示したリボンの構造を概略的に示す図である。
【図７】図７は、第１実施形態における表示パターンの切換方法を説明するためのフローチャートである。
【図８】図８は、第２実施形態に係る改札機の表示部及び切換部の構造を概略的に示す斜視図である。
【図９】図９は、第２実施形態における表示パターンの切換方法を説明するためのフローチャートである。
【符号の説明】
【００６８】
１…改札機本体、６０…ＣＰＵ、７５…表示部、７６…切換部、７８…係員操作パネル、９０…遠隔操作部、１１１…アンテナ部、１１２…無線通信装置、３００…表示枠、４００…リボン
【図１】
2005267460.tif 000003
【図２】
2005267460.tif 000004
【図３】
2005267460.tif 000005
【図４】
2005267460.tif 000006
【図５Ａ】
2005267460.tif 000007
【図５Ｂ】
2005267460.tif 000008
【図６】
2005267460.tif 000009
【図７】
2005267460.tif 000010
【図８】
2005267460.tif 000011
【図９】
2005267460.tif 000012